(57)【要約】【課題】  カラーコードの表示領域において、情報を、人間が視覚で読取可能に表示することができる。【解決手段】  複数のセル１３をマトリクス状に配列して成るカラーコード１２が印刷されたカラーコードラベル１であって、複数のセル１３における２以上のセル１３の形状により文字、数字または記号を形成して、文字、数字または記号から成る情報を、視覚で読取り可能に表示する。【選択図】  図１
2017167718.tif 000002
【特許請求の範囲】
【請求項１】
複数のセルをマトリクス状に配列して成るカラーコードが印刷された表示体であって、
前記複数のセルにおける２以上の前記セルの形状により文字、数字または記号を形成して、前記文字、数字または記号から成る情報を、視覚で読取り可能に表示することを特徴とする表示体。
【請求項２】
前記複数のセルにおける列毎の前記２以上のセルの形状により、前記文字、数字または記号をそれぞれ形成することを特徴とする請求項１に記載の表示体。
【請求項３】
前記情報は、前記カラーコードに格納された情報であることを特徴とする請求項１または２に記載の表示体。
【請求項４】
前記文字、数字または記号を形成する前記２以上のセルには、未印刷に代え、未印刷と同一の符号を示す色が印刷されることを特徴とする請求項１ないし３のいずれか一項に記載の表示体。
【請求項５】
請求項１ないし４のいずれか一項に記載の表示体を用い、複数の人物の中から特定の人物を探索する探索システムであって、
前記カラーコードに前記各人物を示す情報を格納した前記表示体が取り付けられた前記複数の人物を撮像して、撮像画像を取得する撮像部と、
取得した前記撮像画像内の前記カラーコードを読み取って、前記撮像画像内で前記特定の人物を探索する探索部と、
前記探索部の探索結果に基づき、前記撮像画像において前記特定の人物を強調した画像を生成する画像生成部と、
生成した前記画像を表示する表示部と、を備えたことを特徴とする探索システム。
【発明の詳細な説明】
【技術分野】
【０００１】
本発明は、カラーコードを有する表示体およびこれを用いた探索システムに関するものである。
【背景技術】
【０００２】
従来、この種の表示体（カラータグ）として、表面に、色を二次元配列したカラーコードが形成されたものが知られている（特許文献１参照）。このカラーコードは、情報を格納し、当該情報を、色の配列によってコンピューターで読取り可能に表示している。
【先行技術文献】
【特許文献】
【０００３】
【特許文献１】特開２０１５−１５０１０４号公報
【発明の概要】
【発明が解決しようとする課題】
【０００４】
しかしながら、カラーコードは、人間にとっては、基本的に読取不能な意味のない画像である。そのため、このような点で言えば、カラーコードの表示領域は無駄な領域となっている。すなわち、上記従来の表示体では、カラーコードの表示領域において、情報を、人間が視覚で読取可能に表示することができないという問題があった。
【０００５】
本発明は、カラーコードの表示領域において、情報を、人間が視覚で読取可能に表示することができる表示体およびこれを用いた探索システムを提供することを課題としている。
【課題を解決するための手段】
【０００６】
本発明の表示体は、複数のセルをマトリクス状に配列して成るカラーコードが形成された表示体であって、複数のセルにおける２以上のセルの形状により文字、数字または記号を形成して、文字、数字または記号から成る情報を、視覚で読取り可能に表示することを特徴とする。
【０００７】
この場合、複数のセルにおける列毎の２以上のセルの形状により、文字、数字または記号をそれぞれ形成することが好ましい。
【０００８】
これらの構成によれば、カラーコードの２以上のセルの形状により、文字、数字または記号を形成することで、カラーコードによって、情報を、視覚で読取り可能に表示する。これによって、カラーコードの表示領域において、情報を、人間が視覚で読取可能に表示することができる。
【０００９】
この場合、情報は、カラーコードに格納された情報であることが好ましい。
【００１０】
この構成によれば、カラーコードに格納された情報を、当該カラーコードによって、視覚で読取り可能に表示することができる。すなわち、カラーコードに格納された情報がどのような情報なのかを、視覚で確認することができる。
【００１１】
一方、文字、数字または記号を形成する２以上のセルには、未印刷に代え、未印刷と同一の符号を示す色が印刷されることが好ましい。
【００１２】
この構成によれば、セルの形状が表示されない未印刷に代え、これと同一の符号を示す色をセルに印刷する。これによって、上記文字、数字または記号の一部を形成するセルで未印刷に対応する符号を示したい場合でも、当該セルの形状を表示することができる。よって、上記文字、数字または記号の一部が欠けるような事態を避けることができる。
【００１３】
本発明の探索システムは、上記の表示体を用い、複数の人物の中から特定の人物を探索する探索システムであって、カラーコードに各人物を示す情報を格納した表示体が取り付けられた複数の人物を撮像して、撮像画像を取得する撮像部と、取得した撮像画像内のカラーコードを読み取って、撮像画像内で特定の人物を探索する探索部と、探索部の探索結果に基づき、撮像画像において特定の人物を強調した画像を生成する画像生成部と、生成した画像を表示する表示部と、を備えたことを特徴とする。
【００１４】
この構成によれば、各人物に取り付ける表示体におけるカラーコードの表示領域において、情報を、視覚で読取り可能に表示することができる。よって、例えば、表示部で表示された画像を頼りに、ユーザーが、探索した特定の人物に声をかける場合にも、表示体上の視覚で読取り可能な情報によって、その人物であることを容易に確認することができる。
【図面の簡単な説明】
【００１５】
【図１】本発明の一実施形態に係るカラーコードラベルを示した図である。
【図２】探索システムを示したシステム構成図である。
【図３】撮像画像を示した図である。
【図４】呼出し画像を示した図である。
【図５】探索システムによる呼出し画像表示動作を示した図である。
【図６】サーマル印刷方式のテープ印刷装置によるカラーコードラベルの作成方法を示した図である。
【図７】第１変形例におけるカラーコードラベルの作成方法を示した図である。
【図８】第２変形例におけるカラーコードラベルの作成方法を示した図である。
【図９】第３変形例におけるカラーコードラベルの作成方法を示した図である。
【発明を実施するための形態】
【００１６】
以下、添付の図面を参照して、本発明の表示体およびこれを用いた探索システムについて説明する。まず、本発明の表示体を適用したカラーコードラベルについて説明し、その後、これを用いた探索システムについて説明する。
【００１７】
図１に示すように、カラーコードラベル１（表示体）は、黒地の印刷テープ１１の表面に、カラーコード１２が印刷されて構成される。図１に示すように、カラーコード１２は、９個のセル１３を３行３列でマトリクス状に配列したものである。そして、カラーコード１２は、９個のセル１３を印刷する色によって情報を示す構成となる。すなわち、カラーコード１２は、９個のセル１３の印刷色によって、情報を、コンピューターで読取り可能に表示すると共に、当該情報を格納する。この格納情報は、文字、数字または記号の組合せによって構成される。
【００１８】
一方、同図に示すように、カラーコード１２は、各セル１３の形状によって、格納情報を、視覚で読み取り可能に表示する。具体的には、カラーコード１２は、列毎の各３個のセル１３の形状によって、それぞれ１つの文字、数字または記号を形成する。これによって、文字、数字または記号を組合せによって構成された格納情報を、人間が視覚で読取り可能に表示する。すなわち、カラーコード１２は、各セル１３の印刷色によって、格納情報を、コンピューターで読取り可能に表示すると共に、各セル１３の形状によって、格納情報を、視覚で読み取り可能に表示する。このような構成により、カラーコード１２の表示領域において、格納情報を、視覚で読取り可能に表示することができる。
【００１９】
なお、各セル１３には、未印刷に代え、未印刷と同一の符号を示す色（図１の例では黄色）が印刷される。これによって、上記文字、数字または記号の一部が欠けるような事態を避けることができる。
【００２０】
次に図２ないし図５を参照して、このカラーコードラベル１を用いた探索システムＳＹについて説明する。この探索システムＳＹは、複数の人物の中から特定の人物を探索するものであり、病院の患者呼出しシステムに用いられる。具体的には、本探索システムＳＹは、複数の患者Ａを撮像して得られた撮像画像Ｂ内で呼出し対象者Ｄ（特定の人物）を探索し、呼出し対象者Ｄを強調した呼出し画像Ｃを表示することで、患者Ａの呼出しを補助するものである。特に、本探索システムＳＹでは、各患者Ａに、上記カラーコードラベル１を取り付け、撮像画像Ｂ内の各カラーコード１２を読み取ることで、呼出し対象者Ｄの探索を行う構成を有する。
【００２１】
図２に示すように、探索システムＳＹは、複数の患者Ａにそれぞれ取り付けられた複数の上記カラーコードラベル１と、カラーコードラベル１がそれぞれ取り付けられた複数の患者Ａを撮像する撮像カメラ２１（撮像部）と、を備える。また、探索システムＳＹは、撮像カメラ２１に接続され、呼出し対象者Ｄの探索を行うクライアント端末２２と、クライアント端末２２に接続され、探索結果に基づく呼出し画像Ｃを表示する表示モニター２３（表示部）と、を備える。
【００２２】
各カラーコードラベル１は、当該各カラーコードラベル１が取り付けられた各患者Ａを示す識別情報を、カラーコード１２の格納情報とする。すなわち、各カラーコードラベル１のカラーコード１２には、当該各患者Ａを示す識別情報が格納される。つまり、各カラーコードラベル１のカラーコード１２は、その９個のセル１３の色によって、当該各患者Ａの識別情報を、コンピューターで読取り可能に表示すると共に、その９個のセル１３の形状によって、当該各患者Ａの識別情報を、視覚で読取り可能に表示する。なお、識別情報は、別途発行された受付番号、患者番号および診察番号等が想定される。
【００２３】
撮像カメラ２１は、カラー画像を撮像可能なものであり、待合室の天井に配設され、カラーコードラベル１が取り付けられた複数の患者Ａを、斜め上または真上から見下ろすように撮像する。すなわち、撮像カメラ２１は、複数の患者Ａと、複数の患者Ａに取り付けられた複数のカラーコードラベル１と、を撮像して、撮像画像Ｂ（図３参照）を取得する。そして、撮像カメラ２１は、取得した撮像画像Ｂをクライアント端末２２に出力する。
【００２４】
クライアント端末２２は、一般的なパーソナルコンピューターを利用可能であり、通信部３１と、操作部３２と、制御部３３と、を備える。
【００２５】
通信部３１は、撮像カメラ２１および表示モニター２３とのデータのやりとりを行う。具体的には、通信部３１は、撮像カメラ２１から出力された撮像画像Ｂを受け付けると共に、表示モニター２３に対し呼出し画像Ｃを出力する。
【００２６】
操作部３２は、各種操作を行うためのものであり、各種指定を行うための指定部として機能する。本実施形態では、操作部３２は、ユーザーが、呼出し対象者Ｄの識別情報を指定するのに用いられる。
【００２７】
制御部３３は、ＣＰＵ（Central  Processing  Unit）、ＲＯＭ（Read  Only  Memory）、ＲＡＭ（Random  Access  Memory）等で構成され、クライアント端末２２全体を統括制御する。そして、制御部３３は、所定のプログラムを実行することで、撮像画像受付部４１と、指定受付部４２、患者探索部４３（探索部）、呼出し画像生成部４４（画像生成部）および呼出し画像出力部４５として機能する。
【００２８】
撮像画像受付部４１は、通信部３１を介して、撮像カメラ２１から出力された撮像画像Ｂを受け付ける。
【００２９】
指定受付部４２は、操作部３２を介して、ユーザーによる呼出し対象者Ｄの識別情報の指定を受け付ける。
【００３０】
患者探索部４３は、取得した撮像画像Ｂ内の各カラーコード１２を読み取って、撮像画像Ｂ内で呼出し対象者Ｄを探索するものである。具体的には、患者探索部４３は、コード読取部５１と、識別情報照合部５２と、位置検出部５３と、を備える。
【００３１】
コード読取部５１は、撮像画像受付部４１によって受け付けた撮像画像Ｂについて、当該撮像画像Ｂ内の各カラーコード１２を読み取り、各カラーコード１２に格納された各患者Ａの識別情報を取得する。
【００３２】
識別情報照合部５２は、コード読取部５１によって取得した、各カラーコード１２に格納された各患者Ａの識別情報と、指定受付部４２によって受け付けた、呼出し対象者Ｄの識別情報と、を照合する。そして、格納した識別情報が、呼出し対象者Ｄの識別情報と合致するカラーコード１２を検出する。
【００３３】
位置検出部５３は、識別情報照合部５２によって検出したカラーコード１２について、撮像画像内の当該カラーコード１２の位置を検出する。呼出し対象者Ｄには、当該カラーコード１２が印刷されたカラーコードラベル１が取り付けられた状態であるため、検出した当該カラーコード１２の位置が、呼出し対象者Ｄの位置となる。すなわち、位置検出部５３は、カラーコード１２の位置を検出することで、呼出し対象者Ｄの位置を検出する。
【００３４】
呼出し画像生成部４４は、患者探索部４３による探索結果に基づき、撮像画像Ｂにおいて、呼出し対象者Ｄを強調した呼出し画像Ｃ（図４参照）を生成する。図４に示すように、呼出し画像生成部４４は、位置検出部５３によって検出したカラーコード１２の位置を丸で囲うことで、撮像画像Ｂ内のカラーコード１２を強調表示し、これによって、呼出し対象者Ｄを強調表示する。なお、同図に示すように、呼出し画像Ｃにおいて、呼出し対象者Ｄの氏名や識別情報等を表示する構成でも良い。
【００３５】
呼出し画像出力部４５は、通信部３１により、呼出し画像生成部４４によって生成した呼出し画像Ｃを、表示モニター２３に出力する。
【００３６】
一方、表示モニター２３は、クライアント端末２２から出力された呼出し画像Ｃを受け付け、この呼出し画像Ｃを表示する。ユーザーは、表示モニター２３に表示された呼出し画像Ｃを頼りに、呼出し対象者Ｄの呼出しを行う構成となる。
【００３７】
ここで図５を参照して、探索システムＳＹによる呼出し画像表示動作について説明する。本呼出し画像表示動作は、予め、指定受付部４２により、ユーザーによる呼出し対象者Ｄの識別情報の指定を受け付けた状態で行われるものとする。
【００３８】
図５に示すように、呼出し画像表示動作では、まず、撮像カメラ２１は、複数の患者Ａと、複数の患者Ａに取り付けられた複数のカラーコードラベル１とを撮像して、撮像画像Ｂを取得する（Ｓ１）。そして、取得した撮像画像Ｂをクライアント端末２２に出力する（Ｓ２）。
【００３９】
これに対し、クライアント端末２２は、撮像画像受付部４１により、撮像カメラ２１からの撮像画像Ｂを受け付ける（Ｓ３）。そして、コード読取部５１により、受け付けた撮像画像Ｂ内の各カラーコード１２を読み取って、各カラーコード１２に格納された各患者Ａの識別情報を取得する（Ｓ４）。
【００４０】
各カラーコード１２に格納された各患者Ａの識別情報を取得したら、識別情報照合部５２により、取得した各カラーコード１２に格納された各患者Ａの識別情報と、指定受付部４２によって受け付けた呼出し対象者Ｄの識別情報と、を照合して、格納した識別情報が、呼出し対象者Ｄの識別情報と合致するカラーコード１２を検出する（Ｓ５）。そして、位置検出部５３により、検出したカラーコード１２（呼出し対象者Ｄのカラーコード１２）について、撮像画像Ｂ内の当該カラーコード１２の位置を検出する（Ｓ６）。これによって、撮像画像Ｂにおける呼出し対象者Ｄの位置を検出する。
【００４１】
呼出し対象者Ｄの位置を検出したら、呼出し画像生成部４４により、呼出し画像Ｃを生成する（Ｓ７）。すなわち、撮像画像Ｂにおいて、位置検出部５３によって検出したカラーコード１２の位置に基づき、当該カラーコード１２を強調表示した画像を生成する。呼出し画像Ｃを生成したら、呼出し画像出力部４５により、生成した呼出し画像Ｃを、表示モニター２３に出力する（Ｓ８）。
【００４２】
これに対し、表示モニター２３は、クライアント端末２２からの呼出し画像Ｃを受け付け、この呼出し画像Ｃを表示する。これにより、本呼出し画像表示動作を終了する。
【００４３】
次に図６を参照して、サーマル印刷方式のテープ印刷装置によって上記カラーコードラベル１を作成する方法について説明する。図６に示すように、本カラーコードラベル１の作成方法では、異なる色に発色する熱発色剤が幅方向に並んで塗布された黒地の印刷テープ１１と、各熱発色剤の発色温度より高い転写温度を有したインクリボン６１と、を用いる。なお、印刷テープ１１上の各熱発色剤は、カラーコード１２の各行に対応する位置に塗布される。また、インクリボン６１のインクの色は、印刷テープ１１の地色および、各熱発色剤の発色する色とは、異なるものとする。
【００４４】
すなわち、テープ印刷装置は、当該印刷テープ１１と、当該インクリボン６１とを収容したテープカートリッジを装着し、装着したテープカートリッジから印刷テープ１１およびインクリボン６１を引き出して送りつつ、サーマルヘッド６２を駆動し、印刷テープ１１上の熱発色剤を発色しまたはインクリボン６１のインクを転写することで、カラーコード１２の印刷を行う。そして、印刷テープ１１の印刷済み部分を切断することで、カラーコードラベル１を作成する。
【００４５】
カラーコード１２の印刷では、サーマルヘッド６２の各発熱素子の駆動温度を調整することで、印刷テープ１１上の熱発色剤の発色と、インクリボン６１のインクの熱転写と、を選択的に実行することができる。これにより、カラーコード１２の各行のセル１３を、熱発色剤の発色する色と、インクリボン６１のインクの色とのいずれかで、選択的に印刷する。これにより、各セル１３に対し各２色の印刷を行うことができ、カラーコード１２の複数のセル１３の色により、格納情報を、コンピューターで読取り可能に表示することができる。これによって、上記カラーコードラベル１を作成することができる。
【００４６】
なお、上記カラーコードラベル１の作成方法において、並置混色が生じるように印刷を行うことで、各セル１３に印刷可能な色を増やす構成でも良い。すなわち、サーマルヘッド６２の各発熱素子の駆動温度を個別に調整して、印刷テープ１１の熱発色剤のドットと、インクリボン６１のインクのドットと、を混在して印刷する。この混在度合を段階的に調整することで、各セル１３に、熱発色剤の色（発色する色）とインクリボン６１の色（インクの色）との混合色を複数種印刷することができる。これによって、各セル１３に印刷可能な色を増やすことができ、カラーコード１２に格納する情報の情報量を増加させることができる。
【００４７】
また、上記カラーコードラベル１の作成方法において、図７に示すように、図６に記載のインクリボン６１に代え、幅方向でインクの色が異なるインクリボン６１を用いる構成でも良い。
【００４８】
さらに、上記カラーコードラベル１の作成方法において、図８に示すように、インクリボン６１を省略する構成でも良い。かかる場合、各セル１３に複数の色を印刷すべく、印刷するドットパターンやドット密度を調整することが考えられる。すなわち、サーマルヘッド６２の各発熱素子の駆動を個別に制御し、ドットパターンやドット密度を調整することで、各セル１３に印刷する色の濃さを調整する。これによって、各セル１３に対し、濃さが異なる複数の色を印刷する。これにより、各セル１３に複数の色を印刷する。
【００４９】
またさらに、上記カラーコードラベル１の作成方法において、図９に示すように、印刷テープ１１上の各熱発色剤を省略しつつ、インクリボン６１を、幅方向でインクの色が異なるものにする構成でも良い。かかる場合、図８の例と同様、サーマルヘッド６２の各発熱素子の駆動を個別に制御し、ドットパターンやドット密度を調整することで、各セル１３に対し、濃さが異なる複数の色を印刷する。
【００５０】
以上、上記実施形態の構成によれば、カラーコード１２の２以上のセル１３の形状により、文字、数字または記号を形成することで、カラーコード１２によって、情報を、視覚で読取り可能に表示する。これによって、カラーコード１２の表示領域において、情報を、人間が視覚で読取可能に表示することができる。
【００５１】
また、カラーコード１２の格納情報を、視覚で読取可能に表示する構成であるため、カラーコード１２に格納された情報がどのような情報なのかを、視覚で確認することができる。
【００５２】
さらに、上記カラーコードラベル１を、探索システムＳＹに適用したことで、各患者Ａに取り付けるカラーコードラベル１におけるカラーコード１２の表示領域において、情報を、視覚で読取り可能に表示することができる。特に、患者Ａの情報を視覚で読取り可能に表示することで、表示モニター２３で表示された呼出し画像Ｃを頼りに、呼出し対象者Ｄに声をかける際、カラーコードラベル１上の視覚で読取り可能に表示された患者Ａの情報によって、呼出し対象の患者Ａであることを容易に確認することができる。
【００５３】
また、上記探索システムＳＹを用いて呼出し対象者Ｄの呼出しを行うことで、呼出し対象者Ｄを容易に発見することができ、呼出し対象者Ｄに直接声をかけることができる。すなわち、患者Ａの名前等を呼んで、呼出し対象者Ｄを探す作業を省略することができる。
【００５４】
なお、上記探索システムＳＹにおいて、上記カラーコード１２による探索に加え、顔認証による確認を行う構成でも良い。すなわち、クライアント端末２２が、予め各患者Ａの顔画像を記憶しておき、予め記憶した顔画像と、撮像画像内の顔とを照合して、その患者Ａが、呼出し対象者Ｄであるかを確認する構成でも良い。
【００５５】
なお、上記探索システムＳＹにおいては、カラーコードラベル１におけるカラーコード１２に、各患者Ａの識別情報を格納する構成であったが、これに加えて、各患者Ａの緊急度を格納する構成でも良い。かかる場合、患者探索部４３により、緊急度が高い患者Ａを探索し、呼出し画像生成部４４により、緊急度が高い患者Ａを強調した呼出し画像Ｃを生成して、これを表示モニター２３に表示することができる。
【００５６】
また、上記探索システムＳＹでは、クライアント端末２２に接続された表示モニター２３を備え、表示モニター２３で呼出し画像Ｃを表示する構成であったが、探索システムＳＹが、クライアント端末２２に無線接続されたスマートデバイスを更に備え、スマートデバイスで呼出し画像Ｃを表示する構成でも良い。
【００５７】
なお、上記実施形態においては、本発明の探索システムＳＹを、病院の患者呼出しシステムに適用する構成であったが、これに限るものではない。例えば、本発明の探索システムＳＹを、銀行や、役所、飲食店（フードコート）、災害時の避難所等の呼出しシステムに適用する構成でも良い。ひいては、映画館や電車内等で特定の人物を探索するのに、本発明の探索システムを用いる構成でも良い。
【符号の説明】
【００５８】
１…カラーコードラベル、１１…印刷テープ、１２…カラーコード、１３…セル
【図１】
2017167718.tif 000003
【図２】
2017167718.tif 000004
【図３】
2017167718.tif 000005
【図４】
2017167718.tif 000006
【図５】
2017167718.tif 000007
【図６】
2017167718.tif 000008
【図７】
2017167718.tif 000009
【図８】
2017167718.tif 000010
【図９】
2017167718.tif 000011